(57)【特許請求の範囲】
【請求項１】
並列に接続された複数の電源供給回路を有し、
各電源供給回路は、
出力端子に電源を出力するＤＤＣ電源回路と、
前記ＤＤＣ電源回路の出力する電源電流を検出する電流検出器と、
前記出力端子の電圧を検出する電圧検出器と、
前記ＤＤＣ電源回路の動作を制御する制御回路と、を有し、
前記制御回路は、
前記電流検出器の検出した前記電源電流が過電流である時に前記ＤＤＣ電源回路の動作を停止し、
前記ＤＤＣ電源回路が停止状態の時に前記ＤＤＣ電源回路を第１期間動作させるオン動作を行い、前記オン動作時に前記電流検出器の検出した前記電源電流が過電流でない時には前記ＤＤＣ電源回路をそのまま動作させ、前記オン動作時に前記電流検出器の検出した前記電源電流が過電流である時には前記ＤＤＣ電源回路の動作を第２期間にトリガ期間を加えた期間停止した後、前記オン動作を行うヒカップ動作を繰り返し、
前記ヒカップ動作中の前記トリガ期間中に、前記電圧検出器の検出した電圧が、前記複数の電源供給回路のうちの他の電源供給回路からの電源供給を示す時、前記ＤＤＣ電源回路を前記第１期間動作させ、前記電流検出器の検出した前記電源電流が過電流でない時には前記ＤＤＣ電源回路をそのまま動作させることを特徴とする電源供給ユニット。
【請求項２】
前記制御回路は、
前記ＤＤＣ電源回路が停止状態の時から前記ヒカップ動作を開始する初回のみ、
前記ＤＤＣ電源回路が停止状態の時に前記ＤＤＣ電源回路を前記第１期間動作させ、前記初回動作時に前記電流検出器の検出した前記電源電流が過電流でない時には前記ＤＤＣ電源回路をそのまま動作させ、前記初回動作時に前記電流検出器の検出した前記電源電流が過電流である時には前記ＤＤＣ電源回路の動作を前記第２期間停止する初回動作を行う請求項１に記載の電源供給ユニット。
【請求項３】
前記制御回路は、前記ヒカップ動作中の前記第２期間中に、前記電圧検出器の検出した電圧が前記複数の電源供給回路のうちの他の電源供給回路からの電源供給を示す時、他回路が前記トリガ期間になるまでの待機時間を演算し、前記第２期間終了から前記待機時間経過後に、前記ＤＤＣ電源回路を前記第１期間動作させる、請求項１または２に記載の電源供給ユニット。
【請求項４】
出力端子に電源を出力するＤＤＣ電源回路と、
前記ＤＤＣ電源回路の出力する電源電流を検出する電流検出器と、
前記出力端子の電圧を検出する電圧検出器と、
前記ＤＤＣ電源回路の動作を制御する制御回路と、を有し、
前記制御回路は、
前記電流検出器の検出した前記電源電流が過電流である時に前記ＤＤＣ電源回路の動作を停止し、
前記ＤＤＣ電源回路が停止状態の時に前記ＤＤＣ電源回路を第１期間動作させるオン動作を行い、前記オン動作時に前記電流検出器の検出した前記電源電流が過電流でない時には前記ＤＤＣ電源回路をそのまま動作させ、前記オン動作時に前記電流検出器の検出した前記電源電流が過電流である時には前記ＤＤＣ電源回路の動作を第２期間にトリガ期間を加えた期間停止した後、前記オン動作を行うヒカップ動作を繰り返し、
前記ヒカップ動作中の前記トリガ期間中に、前記電圧検出器の検出した電圧が、前記出力端子に並列に接続される他回路からの電源供給を示す時、前記ＤＤＣ電源回路を前記第１期間動作させ、前記電流検出器の検出した前記電源電流が過電流でない時には前記ＤＤＣ電源回路をそのまま動作させることを特徴とする電源供給回路。
【請求項５】
前記制御回路は、
前記ＤＤＣ電源回路が停止状態の時から前記ヒカップ動作を開始する初回のみ、
前記ＤＤＣ電源回路が停止状態の時に前記ＤＤＣ電源回路を前記第１期間動作させ、前記初回動作時に前記電流検出器の検出した前記電源電流が過電流でない時には前記ＤＤＣ電源回路をそのまま動作させ、前記初回動作時に前記電流検出器の検出した前記電源電流が過電流である時には前記ＤＤＣ電源回路の動作を前記第２期間停止する初回動作を行う請求項４に記載の電源供給回路。
【請求項６】
前記制御回路は、前記ヒカップ動作中の前記第２期間中に、前記電圧検出器の検出した電圧が他からの電源供給を示す時、他回路が前記トリガ期間になるまでの待機時間を演算し、前記第２期間終了から前記待機時間経過後に、前記ＤＤＣ電源回路を前記第１期間動作させる、請求項４または５に記載の電源供給回路。
【請求項７】
ＤＤＣ電源回路と、前記ＤＤＣ電源回路の出力する電源電流を検出する電流検出器と、前記出力端子の電圧を検出する電圧検出器と、をそれぞれ有し、負荷に電源を供給するように並列に接続された複数の電源供給回路の各電源供給回路の制御方法であって、
前記電源電流を検出し、検出した前記電源電流が過電流である時に前記ＤＤＣ電源回路の動作を停止し、
前記ＤＤＣ電源回路が停止状態の時に前記ＤＤＣ電源回路を第１期間動作させるオン動作を行い、前記オン動作時に前記電流検出器の検出した前記電源電流が過電流でない時には前記ＤＤＣ電源回路をそのまま動作させ、前記オン動作時に前記電流検出器の検出した前記電源電流が過電流である時には前記ＤＤＣ電源回路の動作を第２期間にトリガ期間を加えた期間停止した後、前記オン動作を行うヒカップ動作を繰り返し、
前記ヒカップ動作中の前記トリガ期間中に、前記電圧検出器の検出した電圧が、前記複数の電源供給回路のうちの他の電源供給回路からの電源供給を示す時、前記ＤＤＣ電源回路を前記第１期間動作させ、前記電流検出器の検出した前記電源電流が過電流でない時には前記ＤＤＣ電源回路をそのまま動作させることを特徴とする電源供給回路の制御方法。
【請求項８】
前記ＤＤＣ電源回路が停止状態の時から前記ヒカップ動作を開始する初回のみ、
前記ＤＤＣ電源回路が停止状態の時に前記ＤＤＣ電源回路を前記第１期間動作させ、前記初回動作時に前記電流検出器の検出した前記電源電流が過電流でない時には前記ＤＤＣ電源回路をそのまま動作させ、前記初回動作時に前記電流検出器の検出した前記電源電流が過電流である時には前記ＤＤＣ電源回路の動作を前記第２期間停止する初回動作を行う請求項７に記載の電源供給回路の制御方法。
【請求項９】
前記ヒカップ動作中の前記第２期間中に、前記電圧検出器の検出した電圧が前記複数の電源供給回路のうちの他の電源供給回路からの電源供給を示す時、他の電源供給回路が前記トリガ期間になるまでの待機時間を演算し、前記第２期間終了から前記待機時間経過後に、前記ＤＤＣ電源回路を前記第１期間動作させる、請求項７または８に記載の電源供給回路の制御方法。
【発明の詳細な説明】
【技術分野】
【０００１】
本発明は、電源供給ユニット、電源供給回路および電源供給回路の制御方法に関する。
【背景技術】
【０００２】
電源供給ユニット(Power Supply Unit: PSU)は、過電流を検出した場合には、電源供給を停止または電源供給量を低下させる過電流保護機能を有するのが一般的である。ＰＳＵは、一旦電源供給を停止または電源供給量を低下させた後、電源供給を再開するか、電源供給量を増加させることが求められる。このような機能を実現する簡便な方法として、過電流の検出、電源供給の停止および電源供給の再開を繰り返すHickup（ヒカップ）保護方式が知られている。
【０００３】
近年、サーバに搭載されるＰＳＵは、故障時のシステムダウンを回避する目的から、ＰＳＵが故障により停止しても、サーバのシステム停止に至らないようにするため、冗長構成とすることが一般的となっている。さらに、ＰＳＵのサイズを低減するため、最大電源供給量の小さな複数の電源供給回路でＰＳＵを形成することが望ましい。
【０００４】
上記のような冗長構成のＰＳＵでHickup（ヒカップ）保護方式を採用する場合、複数の電源供給回路がそれぞれHickup（ヒカップ）保護方式の一連の動作を繰り返す。しかし、リセット時間の差等に起因して動作タイミングがずれ、いつまでも通常状態にならない場合があるという問題があった。
【０００５】
一方、サーバにおいては、システム全体を統合管理するための制御ユニットが搭載されており、その制御ユニットはメイン電源出力とは別の、ＡＣ電源への接続直後に供給される電源系である常駐電源系から電源供給が行われるのが一般的である。このような制御ユニットへ電源を供給する常駐電源用ＰＳＵについても冗長構成とすることが求められており、その場合Hickup（ヒカップ）保護方式を採用すると、上記と同様にいつまでも通常状態にならない場合があるという問題が生じる。
【０００６】
以上の通り、最大電源供給量の小さな複数の電源供給回路でＰＳＵを形成する冗長構成で、Hickup（ヒカップ）保護方式を採用すると、いつまでも通常状態にならない場合があるという問題が生じる。
【０００７】
Hickup（ヒカップ）保護方式を採用した冗長構成のＰＳＵで、複数の電源供給回路の動作を同期させる同期信号を利用して上記の問題を回避する技術が提案されている。しかし、この技術を実現するには、外部に同期信号発生回路を設けるか、各電源供給回路の信号端子（ピン）数を増加させる必要があり、コストアップ要因になると共に、既存の装置には適用できない。
【０００８】
冗長構成の電源供給ユニット（ＰＳＵ）において、新たな回路を付加せず、既存の回路の動作のシーケンスを変更するだけで、各電源供給回路がHickup（ヒカップ）動作を繰り返し、いつまでも通常動作にならないという問題を回避することが望まれている。
【先行技術文献】
【特許文献】
【０００９】
【特許文献１】特開２００３−１６９４７１号公報
【発明の概要】
【発明が解決しようとする課題】
【００１０】
実施形態では、Hickup（ヒカップ）保護機能を採用した冗長構成の電源供給ユニットにおいて、簡単な変更のみで、いつまでも通常動作にならないという問題を解消することを目的とする。
【課題を解決するための手段】
【００１１】
第１の態様の電源供給ユニットは、並列に接続された複数の電源供給回路を有する。各電源供給回路は、出力端子に電源を出力するＤＤＣ電源回路と、ＤＤＣ電源回路の出力する電源電流を検出する電流検出器と、前記出力端子の電圧を検出する電圧検出器と、ＤＤＣ電源回路の動作を制御する制御回路と、を有する。制御回路は、電流検出器の検出した電源電流が過電流である時にＤＤＣ電源回路の動作を停止する。制御回路は、さらに、ＤＤＣ電源回路が停止状態の時にＤＤＣ電源回路を第１期間動作させるオン動作を行い、オン動作時に電流検出器の検出した電源電流が過電流でない時にはＤＤＣ電源回路をそのまま動作させる。そして、制御回路は、オン動作時に電流検出器の検出した電源電流が過電流である時にはＤＤＣ電源回路の動作を第２期間にトリガ期間を加えた期間停止した後、オン動作を行うヒカップ動作を繰り返す。制御回路は、ヒカップ動作中のトリガ期間中に、電圧検出器の検出した電圧が、複数の電源供給回路のうちの他の電源供給回路からの電源供給を示す時、ＤＤＣ電源回路を第１期間動作させる。そして、制御回路は、電流検出器の検出した電源電流が過電流でない時にはＤＤＣ電源回路をそのまま動作させる。
【００１２】
第２の態様の制御方法は、ＤＤＣ電源回路と、ＤＤＣ電源回路の出力する電源電流を検出する電流検出器と、出力端子の電圧を検出する電圧検出器と、をそれぞれ有し、負荷に電源を供給するように並列に接続された複数の電源供給回路をそれぞれ制御する。第２の態様の制御方法によれば、電源電流を検出し、検出した電源電流が過電流である時にＤＤＣ電源回路の動作を停止する。さらに、ＤＤＣ電源回路が停止状態の時にＤＤＣ電源回路を第１期間動作させるオン動作を行い、オン動作時に電流検出器の検出した電源電流が過電流でない時にはＤＤＣ電源回路をそのまま動作させる。オン動作時に電流検出器の検出した電源電流が過電流である時にはＤＤＣ電源回路の動作を第２期間にトリガ期間を加えた期間停止した後、オン動作を行うヒカップ動作を繰り返す。ヒカップ動作中のトリガ期間中に、電圧検出器の検出した電圧が、複数の電源供給回路のうちの他の電源供給回路からの電源供給を示す時、ＤＤＣ電源回路を第１期間動作させる。そして、電流検出器の検出した電源電流が過電流でない時にはＤＤＣ電源回路をそのまま動作させる。
【発明の効果】
【００１３】
実施形態のHickup（ヒカップ）保護機能を採用した冗長構成の電源供給ユニットによれば、動作シーケンスを変更するだけで、短時間に確実に通常動作に入れる。
【図面の簡単な説明】
【００１４】
【図１】図１は、冗長構成のＰＳＵの構成を示す図である。
【図２】図２は、Hickup（ヒカップ）保護方式を採用する電源供給回路の制御回路による電源供給開始時の動作を示すフローチャートである。
【図３】図３は、２個の電源供給回路を有する電源供給ユニット（ＰＳＵ）において、同期せずにHickup（ヒカップ）動作を行った場合の出力電圧の変化および動作状態を示す図である。
【図４】図４は、実施形態の電源供給ユニット（ＰＳＵ）の構成を示す図である。
【図５】図５は、実施形態における制御回路のHickup（ヒカップ）保護機能に関係する処理を示すフローチャートである。
【図６】図６は、実施形態のＰＳＵにおいて、電源供給回路が図５に示す処理動作を行った場合の電源出力端子２９における電圧の変化を示す図である。
【図７】図７は、実施形態の電源供給ユニットにおいて、２個の電源供給回路が同期する様子を示すタイムチャートである。
【図８】図８は、ＤＣ電源が供給される複数の電源供給回路を有し、それらの電源出力を共通に接続して負荷に共通に電源を供給する冗長構成で、Hickup（ヒカップ）保護機能を採用するＰＳＵに、本実施形態の構成を適用した変形例の構成を示す図である。
【発明を実施するための形態】
【００１５】
実施形態の電源供給回路を説明する前に、サーバ等の電子機器に電源を供給する電源供給ユニットについて説明する。
【００１６】
近年、サーバ等の電子機器の高密度化が図られており、搭載される電源供給ユニット(Supply Unit: PSU)も省スペース化が求められるようになっている。
サーバに搭載されるＰＳＵは、故障時のシステムダウンを回避する目的から、ＰＳＵが故障により停止しても、サーバのシステム停止に至らないようにするため、冗長構成とすることが一般的となっている。
【００１７】
図１は、冗長構成のＰＳＵの構成を示す図である。
ＰＳＵは、複数個（図１では３個）の電源供給回路（ＰＳＵ＃０−ＰＳＵ＃２）１０−０〜１０−２を有する。ＰＳＵ＃０−ＰＳＵ＃２の電源出力端子は、電源供給の対象であるシステム１の電源線２に共通に接続される。ＰＳＵ＃０−ＰＳＵ＃２には、ＡＣ電力線（Ｌｉｎｅ）からＡＣ電力ケーブル１１−１〜１１−２によりＡＣ電力が供給される。したがって、ＰＳＵ＃０−ＰＳＵ＃２は、内部のＡＣ−ＤＣ変換回路を有し、ＡＣ電力をＤＣ電力に変換し、共通に接続される電源線２を介してシステム１に供給する。
【００１８】
図１に示す例では、システム１の負荷は最大（Ｍａｘ）で１９０Ａであり、ＰＳＵ＃０−ＰＳＵ＃２が最大（Ｍａｘ）で供給できるＤＣ電力は１００Ａである。したがって、ＰＳＵ＃０−ＰＳＵ＃２は、３台合わせると、最大で３００ＡのＤＣ電力を供給でき、ＰＳＵ＃０−ＰＳＵ＃２のうちの１台が故障して電源供給を停止しても、残りの２台で２００Ａを供給でき、システム１の最大負荷１９０Ａを供給可能である。
【００１９】
冗長構成をとる場合、冗長構成に含まれる電源供給回路の個数を増加させると、全体のサイズを小さくすることができる。例えば、システムの最大電流が５００Ａの場合、５００Ａを供給する２個の電源供給回路を設ける場合と、１００Ａを供給する７個の電源供給回路を設ける場合を考える。前者の場合、ＰＳＵの電源供給は合計で１０００Ａであるのに対して、後者の場合７００Ａであり、後者の方がサイズを小さくできる。さらに、前者の場合、２個の電源供給回路が故障すると電源供給は停止するが、後者の場合２個の電源供給回路が故障しても５００Ａの電源供給が可能である。そのため、冗長構成に含まれる電源供給回路の個数を増加させてＰＳＵのサイズ増加を抑制することが行われる。
【００２０】
何らかの理由で電源供給先のシステムにおいて電力の消費が急増する場合があり、その場合、電源供給ユニット（電源供給回路）は、大量の電源電流を供給することになる。これにより、システムの部品が損傷し、発火するなどの問題や、電源供給ユニット（電源供給回路）が、大量の電源電流のために加熱して故障などが発生する。そこで、電源供給ユニット（電源供給回路）は、過電流保護機能を有するのが一般的である。電源供給ユニット（電源供給回路）は、過電流保護機能により、電源供給を停止するか、電源供給量を低下させる。
【００２１】
システムで過電流が発生した原因が、一時的に電流を増加させるものである場合、すぐに過電流状態は解消する。このような状況では、電源供給ユニット（電源供給回路）は、直ちに電源供給を再開するか、電源供給量を増加させることが求められる。電源供給ユニット（電源供給回路）が電源供給を再開または電源供給量を増加させる制御方法は各種提案されているが、簡便な方法としてHickup（ヒカップ）保護方式が知られている。
【００２２】
Hickup（ヒカップ）保護方式によれば、電源供給ユニット（電源供給回路）は、過電流を検出した場合、過電流保護機能によりシステムへの電源供給を停止する。その後、ある程度の時間経過後に、電源供給を再開する。そのため、複数個の電源供給回路は、それぞれ過電流保護機能により電源供給を停止すると共にタイマー機能をリセットし、所定時間が経過すると電源供給を再開する。電源供給回路は、このような制御動作を行うために、制御回路を有するのが一般的である。
【００２３】
システムにおける過電流状態が解消されていない状態で、ＰＳＵの各電源供給回路が電源供給を再開した場合、再び過電流が流れることになり、過電流保護機能によりシステムへの電源供給を停止する。このように、Hickup（ヒカップ）保護方式によれば、過電流検出、電源供給停止、一定時間後に電源供給再開の処理を繰り返す。以下、この繰り返し処理を、Hickup（ヒカップ）動作と称する。
【００２４】
Hickup（ヒカップ）保護方式は、簡易であり、多くのメーカが市販ＰＳＵの保護方式として採用している。サーバにおいても、コストダウン要件を実現するため、Hickup（ヒカップ）保護方式のＰＳＵを使用することが望まれる。
【００２５】
図２は、Hickup（ヒカップ）保護方式を採用する電源供給回路の制御回路による電源供給開始時の動作を示すフローチャートである。なお、この例では、電源供給回路は、外部から供給されるＤＣ電源または内部に設けたＡＣ−ＤＣ変換回路から供給されるＤＣ電源を、所望の電圧のＤＣ電源に変換するＤＣ−ＤＣ（略してＤＤＣ）変換回路を有する。そして、制御回路がＤＤＣ運転をｏｎ／ｏｆｆ（オン・オフ）制御することにより、電源を供給するか否かを制御する。
【００２６】
ステップＳ１１で、電源供給回路の制御回路は、ＤＤＣ運転のｏｎ／ｏｆｆ（オン・オフ）信号をオン（ｏｎ）して電源供給を開始する。
【００２７】
ステップＳ１２で、電源供給回路の制御回路は、出力電流Ｉｏｕｔが過電流であるか判定し、過電流でなければそのままの状態を維持し、ステップＳ１６の通常運転になり、過電流であればステップＳ１３に進む。
【００２８】
ステップＳ１３で、電源供給回路の制御回路は、ＤＤＣ運転のｏｎ／ｏｆｆ（オン・オフ）信号をオフ（ｏｆｆ）して電源供給を停止する。
【００２９】
ステップＳ１４で、電源供給回路の制御回路は、オフ時間ｔｏｆｆを計時する待機（ｗａｉｔ）処理を行う。ＤＤＣ運転のオン（ｏｎ）時に過電流が流れると、電源供給回路で熱が発生し、熱が蓄積して電源供給回路内部の部品を損傷させる。ｔｏｆｆは、発生した熱を放熱するのに必要な時間であり、ｔｏｆｆおよびＤＤＣ運転のオン時間ｔ１は、このような故障が発生しないように決定される。
【００３０】
ステップＳ１５で、電源供給回路の制御回路は、ＤＤＣ運転のｏｎ／ｏｆｆ（オン・オフ）信号をオンして電源供給を開始した後、ステップＳ１２に戻る。
【００３１】
複数個の電源供給回路を含むＰＳＵでも、各電源供給回路にHickup（ヒカップ）保護方式を採用することが考えられる。ＰＳＵに含まれる複数個の電源供給回路は、同じ型式のもので形成されるのが一般的であるが、各電源供給回路によりリセット時間等がばらつくため、複数個の電源供給回路が電源供給を再開するタイミングに差が生じるのが避けられない。そのため、ＰＳＵが複数個の電源供給回路を有し、１個の電源供給回路ではシステムの消費する電源を供給できない場合、１個の電源供給回路が電源供給を再開した時に、他の電源供給回路が電源供給を再開していないと、過電流が流れることになる。
【００３２】
図３は、２個の電源供給回路（ＰＳＵ＃０およびＰＳＵ＃１）を有する電源供給ユニット（ＰＳＵ）において、同期せずにHickup（ヒカップ）動作を行った場合の出力電圧の変化および動作状態を示す図である。ここでは、ＰＳＵ＃０およびＰＳＵ＃１の一方のみでは、必要な電流が供給できないとする。図３において、ＩＬは、ＰＳＵ＃０およびＰＳＵ＃１の電源電流の最大限界であり、ＩａはＰＳＵ＃０およびＰＳＵ＃１の電源電流容量であり、過電流閾値はＩａの１．２倍であるとする。
【００３３】
ＰＳＵ＃０およびＰＳＵ＃１は、それぞれＤＤＣ運転をｏｎ／ｏｆｆする動作を繰り返す。ＰＳＵ＃０およびＰＳＵ＃１の制御回路は、同一型式のチップにより実現されるため、ＰＳＵ＃０とＰＳＵ＃１のｔ１およびｔｏｆｆはほぼ同じ時間であるが、リセット時間等がばらつくため、開始のタイミングがずれる。ＰＳＵ＃０がオンして出力電圧が高くなり、それに応じて出力電流も増加するが、ＰＳＵ＃１はオフのため、ＰＳＵ＃０の出力電流は過電流閾値を超える。したがって、過電流と判定され、ＰＳＵ＃０のＤＤＣ運転をオフする。これに応じて、出力電圧および出力電流は低下する。その後、出力電圧および出力電流が低下した状態で、ＰＳＵ＃１がオンするが、ＰＳＵ＃０がオフのため、同様にＰＳＵ＃１の出力電流が過電流閾値を超え、過電流と判定され、ＰＳＵ＃１のＤＤＣ運転をオフする。以後このような動作が繰り返され、ＰＳＵからシステムへの電源供給が再開できないという問題が発生する。
【００３４】
なお、図１のＰＳＵの構成において、ＰＳＵ＃０〜ＰＳＵ＃２は、それぞれＡＣ電力線に独立の接続される構成である。ＰＳＵ＃０〜ＰＳＵ＃２は、それぞれＡＣ電力線に接続されると動作を開始するが、停止状態から動作を開始するため、再開時と同様にHickup（ヒカップ）動作を行う。ＡＣ電力線の接続を同期させることはできないので、この場合にも、Hickup（ヒカップ）動作のタイミングずれが発生し、図３で説明したのと同様の問題が発生する。
【００３５】
一方、サーバにおいては、システム全体を統合管理するための制御ユニットが搭載されており、その制御ユニットはメイン電源出力とは別の常駐電源系から電源供給が行われる構成が一般的となっている。常駐電源系は、ＡＣ電源への接続直後に供給される電源系である。このようなサーバ本体への電源供給は、複数個の電源供給回路を有するＰＳＵから行われるが、制御ユニットが、複数個の電源供給回路からの電源供給の同期を制御するため、上記のようなHickup（ヒカップ）動作におけるタイミングずれは容易に回避できる。
【００３６】
しかし、システム全体を統合管理するための制御ユニットの消費電力は、メンテナンス機能の高機能化が要求されるために増加している。そのため、サーバの制御ユニットへの電源供給量も増加しており、冗長構成を実現する場合、サイズの増加を抑制するために、最大電源供給量の小さな複数個の電源供給回路で常駐電源用ＰＳＵを形成することが必要になっている。
【００３７】
常駐電源用ＰＳＵを形成する複数個の電源供給回路が、それぞれＡＣ電源への接続される構成の場合、装置設置時において順次ＡＣ電源線のコンセントに接続していくことになる。その場合、Hickup（ヒカップ）動作のタイミングずれが発生し、図３で説明したのと同様の問題が発生する。以下、常駐電源用ＰＳＵを複数個の常駐電源供給回路で形成する場合を例として説明する。
【００３８】
Hickup（ヒカップ）動作のタイミングずれにより、いつまでも通常動作に戻れないという問題を回避するためには、いくつかの対策が考えられる。
【００３９】
第１の対策は、ＰＳＵに含まれる複数個の常駐電源供給回路のそれぞれの電源出力を大容量化する方法である。この方法であれば、１個の常駐電源供給回路でシステムの制御ユニットの消費電力を供給できるので、１個の常駐電源供給回路をＡＣ電源線のコンセントに接続するだけで、所望の電流が供給できる通常運転状態に回復し、Hickup（ヒカップ）動作は繰り返されない。
【００４０】
しかし、第１の対策は、ＰＳＵ内部の常駐電源回路を大容量化しなければならず、サイズ（実装スペース）が大きくなり、ＰＳＵ小型化の阻害要因となるので、前述のＰＳＵを複数の低電力容量の常駐電源回路を組み合わせてサイズを小さくするという本来の主旨に反する。
【００４１】
第２の対策は、ＰＳＵに含まれる複数個の常駐電源供給回路の過電流保護方式を電流垂下方式にすることである。電流垂下方式は、過電流が発生した場合に、電流供給を停止せずに、電流量を低レベルに低下させる方法で、広く知られた制御方法である。常駐電源供給回路を電流垂下方式にすれば、他の常駐電源供給回路がオフであっても、過電流を流さずに低レベルの電流を流す状態が維持され、そのうちに他の常駐電源供給回路がオンして電流が加算されるので、所望の電流が供給できる通常運転状態に回復する。したがって、電流垂下方式の常駐電源供給回路を使用すれば、いつまでも通常運転状態に戻れないという問題を回避できる。
【００４２】
しかし、電流垂下方式の常駐電源供給回路は、Hickup（ヒカップ）動作方式の回路に比べて回路構成が複雑で、回路の部品点数が増加する。そのため、常駐電源供給回路のサイズが大きくなり、ＰＳＵ小型化の阻害要因となる。
【００４３】
第３の対策は、同期用信号を設け、ＰＳＵに含まれる複数個の常駐電源供給回路間のHickup（ヒカップ）動作の同期を取る方法である。同期用信号は、ＰＳＵの外部で発生しても内部で発生してもよく、ある常駐電源供給回路が発生した同期用信号を他の常駐電源供給回路に供給するようにしてもよい。
【００４４】
第３の対策によれば、複数個の常駐電源供給回路が同期してオンするため、システムの制御ユニットにおける過電流状態が解消されていれば、電源供給が不足することはなく、いつまでも通常運転状態に戻れないという問題を回避できる。
【００４５】
しかし、第３の対策を実現するには、同期用信号発生回路をＰＳＵの内部または外部に設ける場合、回路構成が複雑化し、回路の部品点数が増加し、常駐電源供給回路のサイズが大きくなり、ＰＳＵ小型化の阻害要因となる。さらに、ＰＳＵまたは複数個の常駐電源供給回路のそれぞれに、同期用信号用端子（ピン）を追加で設けるため、従来装置へ適用が難しく、インタフェース信号増加による小型化要件の阻害要因にもなる。
【００４６】
さらに、第３の対策で、同期用信号発生回路をＰＳＵの外部に設ける場合、同期用信号発生回路にグランド短絡等の故障が発生した場合、複数個の常駐電源供給回路間の同期が取れなくなり、いつまでも電源供給が停止する事態になる。
【００４７】
第４の対策は、負荷（システム）側に電力供給のｏｎ／ｏｆｆ用のスイッチを設け、電源投入の最初の時点では、必要最小限の負荷投入に絞る事により、問題を回避する事が可能となる。
【００４８】
しかし、第４の対策は、電力供給ｏｎ／ｏｆｆ用のスイッチを設けることにより負荷側の小型化要件を阻害することとなる。また、前述のように、システム全体を統合管理するための制御ユニットの最小限必要の消費電力も大きくなってきており、その電力がＰＳＵに含まれる各電源供給回路の常駐電源出力を超える場合には、第４の対策は採用できない。さらに、問題解消はＰＳＵ側で対処することが望ましく、負荷（システム）側を変更するのは難しいという問題がある。
【００４９】
以下に説明する実施形態の電源供給ユニット（ＰＳＵ）は、出力が共通に接続された複数の電源供給回路を有し、各電源供給回路がHickup（ヒカップ）動作を行うＰＳＵである。実施形態のＰＳＵは、同期のための特別な外部信号等を用いることなく、各電源供給回路のHickup（ヒカップ）動作のシーケンスを変更するだけで、短時間に電源供給を再開可能にする。言い換えれば、実施形態のＰＳＵによれば、各電源供給回路がHickup（ヒカップ）動作を繰り返し、いつまでも通常運転状態に戻れないという問題を回避できる。
【００５０】
図４は、実施形態の電源供給ユニット（ＰＳＵ）の構成を示す図である。
実施形態のＰＳＵは、サーバの制御ユニット３に常駐電源を供給する。前述のように、制御ユニット３は、サーバ全体を統合管理し、メイン電源（図示せず）からサーバ本体部への電源供給を含めて制御を行う。
【００５１】
実施形態のＰＳＵは、複数個（ここでは３個）の電源供給回路（ＰＳＵ＃０−ＰＳＵ＃２）２０−０〜２０−２を有する。電源供給回路２０−０〜２０−２のそれぞれは、ＡＣ電源線（ライン）２１−０〜２１−２をＡＣ電源のコンセントに接続することにより、動作を開始する。電源供給回路２０−０は、ＡＣ／ＤＣ変換回路２２と、常駐電源用ＤＤＣ回路２３と、電流センサ２４と、電圧センサ２５と、制御回路２６と、制御用ＤＤＣ回路２８と、電源出力端子２９と、を有する。ＡＣ／ＤＣ変換回路２２は、ＡＣ電源ライン２１−０から供給されるＡＣ電源をＤＣ電源に変換する。常駐電源用ＤＤＣ回路２３は、制御回路２６により制御され、ＡＣ／ＤＣ変換回路２２からのＤＣ電源を、制御ユニット３に供給する電圧のＤＣ電源に変換し、変換したＤＣ電源を電源出力端子２９に出力する。電流センサ２４は、常駐電源用ＤＤＣ回路２３から電源出力端子２９に出力されるＤＣ電源の電流量を検出し、Ｉｏｕｔ信号を生成する。電圧センサ２５は、電源出力端子２９の電圧を検出し、Ｖｏｕｔ信号を生成する。一般の電源供給回路は、過電流状態および過電圧を検出して保護機能を動作させるために、電流センサ２４および電圧センサ２５を有するのが一般的である。実施形態では、一般に設けられている電流センサ２４および電圧センサ２５を利用する。制御用ＤＤＣ回路２８は、ＡＣ／ＤＣ変換回路２２からのＤＣ電源を、制御回路２６用のＤＣ電源に変換し、制御回路２６に供給する。
【００５２】
制御回路２６は、制御用ＤＤＣ回路２８から供給されるＤＣ電源で動作する。制御回路２６は、論理回路等で形成されるシーケンサ等で実現することも可能であるが、マイクロコントローラユニット(Micro Controller Unit: MCU)で実現することが望ましい。一般の電源供給回路は、外部制御装置からの信号処理用としてＭＣＵを実装しているのが一般的であり、実施形態では、一般に設けられているＭＣＵを利用し、処理シーケンスを変更することで、実施形態のHickup（ヒカップ）動作を実現する。
【００５３】
制御回路２６は、タイマー回路(Timer)２７を有し、タイミング制御を行う。制御回路２６は、Ｉｏｕｔ信号およびＶｏｕｔ信号に応じて常駐電源用ＤＤＣ回路２３を動作させるか否かを制御するオン・オフ(on/off)信号を生成する。制御回路２６は、電流センサ２４が過電流を検出した時に常駐電源用ＤＤＣ回路２３の動作を停止するオフ信号を出力すると共に、Hickup（ヒカップ）動作を開始する。さらに、制御回路２６は、ＡＣ電源ライン２１−０がコンセントに接続され、制御用ＤＤＣ回路２８からＤＣ電源の供給が開始されたパワーオンリセット時にも同様にHickup（ヒカップ）動作を行う。
【００５４】
他の電源供給回路２０−１および２０−２は、電源供給回路２０−０と同じ構成を有し、制御回路２６の制御シーケンスも同じである。したがって、電源供給回路（ＰＳＵ＃０−ＰＳＵ＃２）２０−０〜２０−２の制御回路２６に設けられるクロック源が出力するクロックの周波数が近似していれば、制御シーケンスのタイミングは類似する。しかし、制御回路２６の動作開始のタイミングは、電源供給開始のタイミング、すなわちＡＣ電源ライン２１−０が接続され、制御用ＤＤＣ回路２８からＤＣ電源が供給されるタイミングであり、不定である。また、電流センサ２４による過電流の検出に応じて、制御回路２６が常駐電源用ＤＤＣ回路２３にオフ信号を出力すると共に後述するHickup（ヒカップ）動作を開始するタイミングは、回路部品の特性ばらつきによりＰＳＵ＃０−ＰＳＵ＃２で異なる。そのため、Hickup（ヒカップ）動作の周期は、ＰＳＵ＃０−ＰＳＵ＃２で類似しているが、開始タイミングはばらつく。
【００５５】
以下、実施形態の電源供給ユニット（ＰＳＵ）の複数個の電源供給回路（ＰＳＵ＃０−ＰＳＵ２）２０−０〜２０−２に、ＡＣ電源ライン２１−０〜２１−２をコンセントに接続することにより動作を開始するパワーオンリセットの場合を例として説明する。
【００５６】
図５は、実施形態における制御回路２６のHickup（ヒカップ）保護機能に関係する処理を示すフローチャートである。
ステップＳ２１で、フラグ(Flag)＝０にセットする。
ステップＳ２２で、常駐電源用ＤＤＣ回路２３に出力するｏｎ／ｏｆｆ信号をオン（ｏｎ）にして、常駐電源用ＤＤＣ回路２３を動作させて制御ユニット３への電源供給を行う。
【００５７】
ステップＳ２３で、電流センサ２４の出力するＩｏｕｔ信号が過電流であるか、言い換えればＩｏｕｔが過電流閾値を超えているか判定し、超えていなければステップＳ３３に進み、超えていればステップＳ２４に進む。
【００５８】
ステップＳ２４で、常駐電源用ＤＤＣ回路２３に出力するｏｎ／ｏｆｆ信号をオフ（ｏｆｆ）にして、常駐電源用ＤＤＣ回路２３を非動作状態にして制御ユニット３への電源供給を停止する。
【００５９】
ステップＳ２５で、フラグ(Flag)＞０であるか、すなわち０であるか１であるか判定し、ゼロであればステップＳ２６に進み、１であればステップＳ２７に進む。
【００６０】
ステップＳ２６で、オフ時間ｔｏｆｆを計時する待機(Wait)処理を行い、ステップＳ２３に戻る。ステップＳ２５からステップＳ２６を経てステップＳ２３に戻る処理が分岐処理１である。
【００６１】
ステップＳ２７で、待機時間が、後述する時間ｔ２とｔ３の和（ｔ２＋ｔ３）以下であるか判定し、ｔ２＋ｔ３以下であればステップＳ２７に進み、超えていればステップＳ３１に進む。ステップＳ２７からステップＳ３１に進む処理が分岐処理４である。
【００６２】
ステップＳ２８で、電圧センサ２５が検出したＶｏｕｔ信号が閾値以上であるか判定し、閾値未満であればステップＳ３７に戻り、閾値以上であればステップＳ２９に進む。
【００６３】
ステップＳ２９で、待機時間が時間ｔ２以下であるか判定し、ｔ２以下であればステップＳ３０に進み、超えていればステップＳ３１に進む。ステップＳ２９からステップＳ３１に進む処理が分岐処理３であり、ステップＳ２９からステップＳ３０に進む処理が分岐処理２である。
ステップＳ３０で、タイミング調整時間ｔｂを計時する待機(Wait)処理を行う。
【００６４】
ステップＳ３１で、フラグ(Flag)＝１にセットする。
ステップＳ３２で、常駐電源用ＤＤＣ回路２３に出力するｏｎ／ｏｆｆ信号をオン（ｏｎ）にして、常駐電源用ＤＤＣ回路２３を動作させて制御ユニット３への電源供給を再度行い、ステップＳ２３に戻る。
【００６５】
ステップＳ２３からステップＳ３３に進む場合は、常駐電源用ＤＤＣ回路２３を動作させて制御ユニット３への電源供給を行っても過電流が生じない状態である。この状態は、制御ユニット３での過電流の原因が解消し、他の電源供給回路からも電源供給が行われる通常運転状態であり、常駐電源用ＤＤＣ回路２３にオン信号を出力する状態を維持する。ステップＳ３３に進むことで、Hickup（ヒカップ）動作が終了する。
【００６６】
図６は、実施形態のＰＳＵにおいて、電源供給回路（ＰＳＵ＃０）が図５に示す処理動作を行った場合の電源出力端子２９における電圧（Ｖｏｕｔ）の変化を示す図である。図６の（Ａ）は、図５に示した分岐処理１、３および４に関係する処理を示す。図６の（Ｂ）は、図５に示した分岐処理２に関係する処理を示し、説明のため、ＰＳＵ＃１が動作して電源供給を行った場合のＶｏｕｔを破線で示している。
【００６７】
Hickup（ヒカップ）動作では、ＰＳＵ＃０は、図６の（Ａ）に示すように、第１期間（ｔ１）オン（ｏｎ）した後、第２期間（ｔｏｆｆ＝ｔ２）オフ（ｏｆｆ）する動作を行う。図５の分岐処理１が、この動作を生じさせる。ＰＳＵ＃０がオン（ｏｎ）する第１期間（ｔ１）は、図５のＳ３２からＳ２３−Ｓ２４までの処理を行う時間で決定され、図５には示していないが必要に応じてオン時間を調整する処理をＳ３２に設ける。ＰＳＵ＃０がオフ（ｏｆｆ）する第２期間（ｔ２）の長さは、Ｓ２６の待機（ｗａｉｔ）時間で決定される。
【００６８】
分岐処理１による１回目のオンとオフを行った後、２回目に第１期間（ｔ１）オン（ｏｎ）し、第２期間（ｔ２）オフ（ｏｆｆ）した後、さらにトリガ(Trigger)期間（ｔ３）の間オフする動作を行う。言い換えれば、２回目には、ｔ１の期間オンした後、ｔ２＋ｔ３の期間オフする動作を行い、以後この動作を繰り返す。図５の分岐処理４が、この繰り返し動作を生じさせる。トリガ期間の長さｔ３は、図５のＳ２７のｔ３で設定される。
【００６９】
ＰＳＵ＃０がHickup（ヒカップ）動作を行っている間、ＰＳＵ＃１およびＰＳＵ＃２が動作しないと、ＰＳＵ＃０は、２回目以降、ｔ１の期間オンした後、ｔ２＋ｔ３の期間オフする動作を何度も繰り返すことになる。ＰＳＵ＃０は、オン（ｏｎ）時に過電流が流れると、常駐電源用ＤＤＣ回路２３で熱が発生し、オフ（ｏｆｆ）時に発生した熱を放熱する。ｔ１が長いかまたはｔ２＋ｔ３が短いと熱が蓄積して温度が上昇し、常駐電源用ＤＤＣ回路２３内部の部品を損傷させる。ｔ１とｔ２＋ｔ３の長さは、ＰＳＵ＃０が単独でHickup（ヒカップ）動作を繰り返しても温度上昇が許容範囲であるように決定される。
【００７０】
図５のＳ２８からＳ２９で、２回目以降の繰り返しのトリガ期間中にＶｏｕｔ信号が閾値以上になったこと、すなわち他の電源供給回路（ＰＳＵ＃１またはＰＳＵ＃２）がオンしたことを検出すると、分岐処理３を行う。分岐処理３で、ＰＳＵ＃０は、Ｓ３２で常駐電源用ＤＤＣ回路２３をオンする。この場合、他の電源供給回路からも制御ユニット３に電源が供給されているので、過電流にならず、Ｓ２３からＳ３３に進んで通常運転を行う。
【００７１】
ＰＳＵ＃０は、上記のように、図５の分岐処理１により、ｔ１の期間オンした後、ｔ２の期間オフする動作を行う。ｔ２の期間にＶｏｕｔ信号が閾値以上になったことを検出しなければ図６の（Ａ）の２回目以降の動作を行うが、ｔ２の期間にＶｏｕｔ信号が閾値以上になったことを検出すると、図５のＳ２８からＳ３０の分岐処理２を行う。分岐処理２において、ＰＳＵ＃０は、Ｓ３０でＶｏｕｔ信号を閾値以上にした他の電源供給回路（ＰＳＵ＃１）がトリガ期間に入るまでの時間ｔｂを演算する。ここでは、ｔ１とｔ２の和にトリガ期間の長さｔ３の半分を加えた時間をｔｂとする。Ｓ３２でＰＳＵ＃０が常駐電源用ＤＤＣ回路２３をオンすると、ＰＳＵ＃１が、ＰＳＵ＃０からの電源供給を検出して、図６の（Ａ）で説明したように常駐電源用ＤＤＣ回路２３をオンする。これにより、ＰＳＵ＃０とＰＳＵ＃１の電源供給が同期して行われ、過電流にならず、Ｓ２３からＳ３３に進んで通常運転を行う。
【００７２】
図７は、実施形態の電源供給ユニット（ＰＳＵ）において、２個の電源供給回路が同期する様子を示すタイムチャートである。
図３と同様に、図７において、ＩＬは、ＰＳＵ＃０およびＰＳＵ＃１の電源電流の最大限界であり、ＩａはＰＳＵ＃０およびＰＳＵ＃１の電源電流容量である。図７では、ＰＳＵ＃０が図６の（Ｂ）に示す動作を行い、ＰＳＵ＃１が図６の（Ａ）に示す動作を行うとする。
【００７３】
ＰＳＵ＃０がＡＣ電源に接続され、ＰＳＵ＃０が、１回目のオン動作を行い、電源電流を出力するが、ＰＳＵ＃１（ＰＳＵ＃２も。以下省略）はＡＣ電源に接続されていないためオンしておらず、ＰＳＵ＃０で過電流が検出され、ＰＳＵ＃０はオフする。その後、分岐処理１を開始する。
【００７４】
その後、ＰＳＵ＃１は、ＰＳＵ＃０のオフ期間に、ＡＣ電源に接続されて１回目のオン動作を行い、電源電流を出力する。ＰＳＵ＃１が１回目のオン動作を行った時、ＰＳＵ＃０はオフしているので、ＰＳＵ＃１で過電流を検出することになり、ＰＳＵ＃１はオフする。その後、分岐処理１を開始する。
【００７５】
ＰＳＵ＃０は、分岐処理１により、オフ期間（ｔ２）が経過すると、２回目のオン動作を行い、電源電流を出力するが、ＰＳＵ＃１はオフしており、ＰＳＵ＃０で過電流が検出され、ＰＳＵ＃０はオフする。
【００７６】
一方、ＰＳＵ＃１は、分岐処理１により、オフ期間（ｔ２）が経過すると、２回目のオン動作を行い、電源電流を出力するが、ＰＳＵ＃０はオフしており、ＰＳＵ＃１で過電流が検出され、ＰＳＵ＃１はオフする。
【００７７】
ＰＳＵ＃１が２回目のオン動作を行った時、ＰＳＵ＃０は、２回目のオン動作後のオフ期間であり、電圧センサ２５が電源出力端子におけるＶｏｕｔ信号が閾値を超えたこと、すなわちＰＳＵ＃１（またはＰＳＵ＃２）がオン動作を行ったことを検出する。そこで、ＰＳＵ＃０の制御回路２６は、ＰＳＵ＃１（またはＰＳＵ＃２）がトリガ期間（の中央）になるまでの時間ｔｂ＝ｔ１＋ｔ２＋ｔ３／２を演算し、Ｖｏｕｔ信号が閾値を超えた時点からｔｂの期間オフ状態を維持して待機する。
【００７８】
ＰＳＵ＃１の２回目のオン動作からｔｂ後に、ＰＳＵ＃０は３回目のオン動作を行う。この時、ＰＳＵ＃１はトリガ期間に入っており、ＰＳＵ＃０は３回目のオン動作に応じて電圧センサ２５が電源出力端子におけるＶｏｕｔ信号が閾値を超えたことを検出すると、ＰＳＵ＃１は、分岐処理３によりオン動作を行う。この時、ＰＳＵ＃０は３回目のオン動作を行っているので、ＰＳＵ＃０とＰＳＵ＃１のオン動作が同期し、ＰＳＵ＃０およびＰＳＵ＃１で過電流は検出されないので、オン状態を維持し、通常運転に入る。
【００７９】
以上説明したように、実施形態の電源供給ユニット（ＰＳＵ）では、複数の電源供給回路の動作シーケンスを変更するだけで、短時間に、Hickup（ヒカップ）動作におけるオン動作を同期させ、通常運転を開始することができる。実施形態のＰＳＵは、既存のハードウェアを利用して動作シーケンスを変更するだけで実現でき、サイズの増加やコストアップを伴わない。さらに、既存のＰＳＵへの適用も容易に実現可能である。
【００８０】
上記の実施形態では、サーバの制御ユニットに電源を供給する常駐電源用ＰＳＵで、ＡＣ電源ラインをＡＣ電源に接続するパワーオンリセット時に行うHickup（ヒカップ）動作を例として説明した。しかし、ＡＣ電源ラインが接続された通常状態で動作中に、過電流を検出して一旦ＰＳＵをオフし、Hickup（ヒカップ）動作を行って再度通常運転状態にする場合にも、本実施形態の構成は同様に適用可能である。
【００８１】
さらに、常駐電源用ＰＳＵに限らず、複数の電源供給回路を有し、それらの電源出力を共通に接続して負荷に共通に電源を供給する冗長構成で、Hickup（ヒカップ）保護機能を採用する場合にも、本実施形態の構成は同様に適用可能である。
【００８２】
さらに、上記の実施形態では、ＡＣ電源ラインで各電源供給回路にＡＣ電源を供給し、ＡＣ−ＤＣ変換する場合を例として説明したが、各電源供給回路にＤＣ電源を供給する場合にも、本実施形態の構成は同様に適用可能である。
【００８３】
図８は、ＤＣ電源が供給される複数の電源供給回路を有し、それらの電源出力を共通に接続して負荷に共通に電源を供給する冗長構成で、Hickup（ヒカップ）保護機能を採用するＰＳＵに、本実施形態の構成を適用した変形例の構成を示す図である。
【００８４】
変形例のＰＳＵは、負荷４にＤＣ電源を供給する。変形例のＰＳＵは、複数個（ここではＮ個）の電源供給回路（ＰＳＵ＃１０−ＰＳＵ＃１Ｎ）３０−０〜３０−Ｎを有する。電源供給回路３０−０〜２０−Ｎは、ＤＣ電源３１から共通にＤＶ電源が供給される。電源供給回路３０−０は、ＤＤＣ回路３３と、電流センサ３４と、電圧センサ３５と、制御回路３６と、レギュレータ３８と、電源出力端子３９と、を有する。ＤＤＣ回路３３は、制御回路３６により制御され、外部から供給されるＤＣ電源を、負荷４に供給する電圧のＤＣ電源に変換し、変換したＤＣ電源を電源出力端子３９に出力する。電流センサ３４は、ＤＤＣ回路３３から電源出力端子３９に出力されるＤＣ電源の電流量を検出し、Ｉｏｕｔ信号を生成する。電圧センサ３５は、電源出力端子３９の電圧を検出し、Ｖｏｕｔ信号を生成する。前述のように、一般の電源供給回路は、過電流状態および過電圧を検出して保護機能を動作させるために、電流センサ３４および電圧センサ３５を有するのが一般的であり、変形例でもこれらを利用する。レギュレータ３８は、外部から供給されるＤＣ電源を、制御回路３６用のＤＣ電源に変換し、制御回路３６に供給する。
【００８５】
制御回路３６は、レギュレータ３８から供給されるＤＣ電源で動作する。制御回路２６は、一般のＰＳＵに搭載されたＭＣＵのプログラムを変更して実施形態のHickup（ヒカップ）動作を実現することが望ましいが、シーケンサ等で実現することも可能である。制御回路３６は、タイマー回路(Timer)３７を有し、タイミング制御を行う。制御回路３６は、実施形態のHickup（ヒカップ）動作と同様の動作を実現する。Hickup（ヒカップ）動作は、電流センサ２４が過電流を検出しＤＤＣ回路３３の動作を停止した後開始される場合と、ＤＣ電源３１に接続されるパワーオンリセット場合に行われる。他の電源供給回路３０−１および３０−Ｎは、電源供給回路３０−０と同じ構成を有し、制御回路３６の制御シーケンスも同じである。
【００８６】
上記のように、変形例におけるHickup（ヒカップ）動作のシーケンスは、実施形態のものと同じであり、これ以上の説明は省略する。
【００８７】
以上、実施形態を説明したが、ここに記載したすべての例や条件は、発明および技術に適用する発明の概念の理解を助ける目的で記載されたものである。特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【００８８】
２    電源線
３    制御ユニット
２０−０〜２０−２    電源供給回路
２１−０〜２１−２    ＡＣ電源線（ライン）
２２    ＡＣ／ＤＣ変換回路
２３    常駐電源用ＤＤＣ回路
２４    電流センサ
２５    電圧センサ２５
２６    制御回路
２７    タイマ
２８    制御用ＤＤＣ回路
２９    電源出力端子
【図１】
0006421578.tif 000002
【図２】
0006421578.tif 000003
【図３】
0006421578.tif 000004
【図４】
0006421578.tif 000005
【図５】
0006421578.tif 000006
【図６】
0006421578.tif 000007
【図７】
0006421578.tif 000008
【図８】
0006421578.tif 000009